(57)【要約】【課題】配管又は配線が木造梁を貫通する貫通箇所を低減させる。【解決手段】配管８２を短スパン部５６Ｂの梁下に配設することで、木造梁５６を長手方向（梁間方向）から見た場合に、貫通することなく、木造梁５６（の長スパン部５６Ａ）に重なって配置されている。配管８２から梁間方向に分岐する配管８４は柱梁架構５０で区切られた居室空間１５毎に梁間方向に沿って配設されている。このように配管８２及び配管８４が配設されることで、配管８２及び配管８４が木造梁を貫通することなく配設される。【選択図】図１
2014058813.tif 000002
【特許請求の範囲】
【請求項１】
耐震要素と、
前記耐震要素の面外方向外側に間隔をあけて設けられた複数の木造の柱梁架構と、
前記耐震要素に接続され、前記柱梁架構に支持されたスラブと、
前記柱梁架構を構成する木造梁の長手方向から見たとき、前記木造梁を貫通することなく、配管又は配線が配設される配設部と、
を備える木造建築物。
【請求項２】
前記木造梁は、前記長手方向に対して、少なくとも長スパンと短スパンとを有して架設され、
前記配設部は、前記配管又は前記配線が横断する前記短スパンの梁下である、
請求項１に記載の木造建築物。
【請求項３】
前記スラブは、前記柱梁架構の前記長手方向の外側に延在する無梁スラブを有し、
前記配設部は、前記無梁スラブの下面の下側である、
請求項１に記載の木造建築物。
【請求項４】
前記柱梁架構で区切られたエリア毎に前記配管又は前記配線が配設されている、
請求項１〜請求項３のいずれか１項に記載の木造建築物。
【発明の詳細な説明】
【技術分野】
【０００１】
本発明は、木造建築物に関する。
【背景技術】
【０００２】
特許文献１には、建物内部のコア壁と建物外周の柱梁架構からなる高層建物において、コア壁が耐震壁を複数組み合わせた分散型の耐震壁から構成され、床組に梁成の小さいハンチ部を有する梁を用いる技術が開示されている。
【０００３】
また、特許文献２には、木材で構成された耐火集成材に関する技術が開示されている。
【０００４】
ここで、木造建築物において、スラブの下面に沿って配管や配線等を配設する場合、スラブを支持する木造梁を配管や配線等が貫通する必要が生じる。しかし、木造梁に配管や配線等が貫通する貫通孔を形成すると、柱梁架構の耐力と耐火性能が低下する。
【０００５】
或いは、貫通孔を形成しないで木造梁の下側を配管や配線等が横断する構成が考えられる。しかし、木造梁の下側を配管や配線等が横断したうえで天井高を確保すると、階高が高くなる。そして、階高を高くすると、例えば高さ制限がある場合は所望の階数が確保できない虞がある。つまり、設計の自由度が制限される。
【先行技術文献】
【特許文献】
【０００６】
【特許文献１】特開２００４−７６２９３号公報
【特許文献２】特開２００８−３１７４３号公報
【発明の概要】
【発明が解決しようとする課題】
【０００７】
本発明は、上記事実を考慮し、配管又は配線が木造梁を貫通する貫通箇所を低減させることが課題である。
【課題を解決するための手段】
【０００８】
請求項１の発明は、耐震要素と、前記耐震要素の面外方向外側に間隔をあけて設けられた複数の木造の柱梁架構と、前記耐震要素に接続され、前記柱梁架構に支持されたスラブと、前記柱梁架構を構成する木造梁の長手方向から見たとき、前記木造梁を貫通することなく、配管又は配線が配設される配設部と、を備える。
【０００９】
請求項１に記載の発明では、配設部に配管又は配線が配設されることで、配管又は配線が木造梁を貫通する貫通箇所が低減する。
【００１０】
請求項２の発明は、前記木造梁は、前記長手方向に対して、少なくとも長スパンと短スパンとを有して架設され、前記配設部は、前記配管又は前記配線が横断する前記短スパンの梁下である。
【００１１】
請求項２に記載の発明では、木造梁において長スパンの梁成よりも短スパンの梁成の方が低くなり、この梁成の低い短スパンの梁下に配管又は配線が横断するように配設することで、配管又は配線が木造梁を貫通する貫通箇所が低減する。
【００１２】
請求項３の発明は、前記スラブは、前記柱梁架構の前記長手方向の外側に延在する無梁スラブを有し、前記配設部は、前記無梁スラブの下面の下側である。
【００１３】
請求項３に記載の発明では、柱梁架構の長手方向の外側に延在する無梁スラブの下面の下側に、配管又は配線を配設することで、配管又は配線が木造梁を貫通する貫通箇所が低減する。
【００１４】
請求項４の発明は、前記柱梁架構で区切られたエリア毎に前記配管又は前記配線が配設されている。
【００１５】
請求項４に記載の発明では、柱梁架構で区切られたエリア毎に配管又は配線が配設されることで、配管又は配線が木造梁を貫通する貫通箇所が低減する。
【発明の効果】
【００１６】
本発明によれば、配設部を有しない場合と比較し、配管又は配線が木造梁を貫通する貫通箇所を低減させることができる。
【図面の簡単な説明】
【００１７】
【図１】本発明の第一実施形態に係る木造建築物を示す斜視図である。
【図２】図１に示す木造建築物の正面図である。
【図３】図２の３−３線に沿った平面図である。
【図４】（Ａ）は図３の４Ａ−４Ａ線に沿った縦断面図であり、（Ｂ）は図３の４Ｂ−４Ｂ線に沿った縦断面図である。
【図５】本発明の第二実施形態に係る木造建築物を示す図３に対応する平面図である。
【図６】（Ａ）は図５の６Ａ−６Ａ線に沿った縦断面図であり、（Ｂ）は図５の６Ｂ−６Ｂ線に沿った縦断面図である。
【図７】（Ａ）は図５の７Ａ−７Ａ線に沿った縦断面図であり、（Ｂ）は第一変形例の配設部を示す（Ａ）に対応する縦断面図であり、（Ｃ）は第二変形例の配設部を示す（Ａ）に対応する縦断面図である。
【図８】本発明の第三実施形態に係る木造建築物を示す図３に対応する平面図である。
【図９】（Ａ）は図８の９Ａ−９Ａ線に沿った縦断面図であり、（Ｂ）は図８の９Ｂ−９Ｂ線に沿った縦断面図である。
【図１０】第三実施形態の第一変形例を示す図２に対応する正面図である。
【図１１】木造柱を構成する耐火集成材を示す一部切り欠き断面斜視図である。
【図１２】木造梁を構成する耐火集成材を示す斜視図である。
【発明を実施するための形態】
【００１８】
＜第一実施形態＞
本発明の第一実施形態にかかる木造建築物１０について説明する。なお、各図において、平面視における木造建築物１０の長辺方向である桁行き方向を矢印Ｙで示し、平面視における木造建築物１０の短辺方向である梁間方向を矢印Ｘで示し、鉛直方向を矢印Ｚで示す。また、矢印Ｘが指す側が木造建築物１０の前側（正面側）とし、反対側が木造建築物１０の後側（裏側）とする。
【００１９】
また、図１においては、後述する各階の配管８２及び配管８４は、図が煩雑になるのを避けるため最上階のみ図示している。また、図３の平面図において、後述する柱梁架構５０や配管８２、８４は、スラブ７０の下側に配置されているので、本来は破線で図示する必要があるが、判り易くするため、これらは実線で図示している。
【００２０】
図１及び図２に示すように、本実施形態の木造建築物１０は、４階建てとされ、桁行き方向(矢印Ｙ方向）の両側に梁間方向（矢印Ｘ向）に沿った耐震壁２２及び耐震壁２４と、これら耐震壁２２，２４の後端部に接続された桁行き方向に沿った耐震壁２６と、基礎階の基礎スラブ２８と、が主な躯体とされている。また、本実施形態では、これら耐震壁２２，２４，２６及び基礎スラブ２８は、鉄筋コンクリート造とされている。なお、木造建築物１０の前側（正面側）には、図示が省略されている外装材が設けられている。
【００２１】
図１〜図３に示すように、耐震壁２２（及び耐震壁２４）の面外方向外側に、複数の柱梁架構５０が間隔をあけて設けられている。より具体的に説明すると、耐震壁２２と耐震壁２４との間には、梁間方向（矢印Ｘ方向）に沿った木造の柱梁架構５０が桁行き方向（矢印Ｙ方向）に間隔をあけて設けられている。
【００２２】
図１及び図３に示すように、各柱梁架構５０は、梁間方向に間隔をあけて配置された木造柱５２及び木造柱５４と、各階に設けられた梁間方向を長手方向とする木造梁５６と、で構成されている。
【００２３】
柱梁架構５０の木造梁５６の後端部は後方の耐震壁２６で支持され、前端部は木造柱５２で支持されている。更に、木造梁５６は、前端部と後端部との間に設けられた木造柱５４によって支持されている。なお、本実施形態の木造建築物１０では、桁行き方向に沿った木造梁を有していない構造となっている。
【００２４】
そして、図１及び図２に示すように、各柱梁架構５０によって各階のスラブ７０が支持されている。各階のスラブ７０は、桁行き方向の両側端部が耐震壁２２，２４に接続され、後端部が耐震壁２６に接続されている。なお、各階において柱梁架構５０で区切られた空間を居室空間１５とする。
【００２５】
図１及び図３に示すように、各階のスラブ７０は、前端部分が鉄筋コンクリート造スラブ７２で構成され、鉄筋コンクリート造スラブ７２から後方の耐震壁２６までの間は、トップコンが打接されていない成形コンクリート版７４で構成されている。なお、成形コンクリート版以外、例えば現場打ちコンクリート、ハーププレキャスト版などの任意のスラブ形式を選択することができる。
【００２６】
図４（Ａ）に示すように、木造梁５６における木造柱５２と木造柱５４とで支持された梁スパンＬ１は、木造柱５４と耐震壁２６とで支持された梁スパンＬ２よりも長くなっている（図１及び図３も参照）。そして、木造梁５６は、梁スパンＬ１，Ｌ２に応じた梁成差が設けられている。つまり、木造梁５６におけるスパンが短い梁スパンＬ２の短スパン部５６Ｂの梁成Ｈ２は、スパンが長い梁スパンＬ１の長スパン部５６Ａの梁成Ｈ１よりも低くなっている。
【００２７】
図１及び図２に示すように、縦配管８０がスラブ７０の後方の角部を貫通して鉛直方向に配設されている。そして、各階において縦配管８０から桁行き方向（Ｙ方向）に配管８２が分岐している。更に、図１〜図３に示すように、配管８２から梁間方向に配管８４が分岐し、柱梁架構５０で区切られた居室空間１５毎に梁間方向に延びている。なお、図１では、前述したように、各階の配管８２及び配管８４は、図が煩雑になるのを避けるため最上階のみ図示している。
【００２８】
図４（Ａ）に示すように、木造梁５６は、前述したように梁スパンＬ１，Ｌ２に応じて梁成差が設けられ、短スパン部５６Ｂの梁成Ｈ２は長スパン部５６Ａの梁成Ｈ１よりも低くなっている。そして、各階において、配管８２は、梁成の低い短スパン部５６Ｂの梁下を、桁行き方向に沿って配設されている。また、繰り返しになるが、図１〜図４に示すように、各階において配管８２から梁間方向に分岐する配管８４が、柱梁架構５で区切られた居室空間１５毎（図３参照）に梁間方向に沿って延びている。
【００２９】
[耐火集成材]
ここで、本実施形態では、柱梁架構５０を構成する木造柱５２、５４及び木造梁５６は、耐火集成材で構成されている。なお、本耐火集成材は、公的な性能評価機関で耐火性能試験を実施し、建築基準法で規定される１時間及び２時間、３時間の耐火性能をもつ構造部材として使用可能な木材である。つぎに、木造柱５２、５４及び木造梁５６を構成する耐火集成材について説明する。
【００３０】
図１１に示すように、本実施形態の耐火集成材で構成された木造柱５２，５４は、荷重を支持する心材５０２、モルタルバー５１０が埋設された燃止層（もえどまりそう）５０４、燃代層（もえしろそう）５０６の３層で構成されている。また、図１２に示すように、本実施形態の耐火集成材で構成された木造梁５６も同様に、荷重を支持する心材５０２、モルタルバー５１０が埋設された燃止層（もえどまりそう）５０４、燃代層（もえしろそう）５０６の３層で構成されている。
【００３１】
そして、火災時には外側の燃代層５０６が燃焼し炭化して炭化層となることで断熱効果を発揮すると共に燃止層５０４を構成するモルタルバー５１０が熱を吸収しながら燃焼を停止させることで、中心部にある荷重を支持する心材５０２を火災から保護する。
【００３２】
なお、耐火集成材の心材及び燃代層は、木材によって形成されていればよい。例えば、心材及び燃代層は、米松、唐松、檜、杉、あすなろ等の一般の木造建築に用いられる木材（以下、「一般木材」とする）によって形成してもよいし、これらの一般木材を角柱状の単材に加工し、この単材を複数集成し単材同士を接着剤により接着して一体化することによって形成してもよい。
【００３３】
また、燃止層は、火炎及び熱の進入を抑えて燃え止まり効果を発揮できる層であればよい。例えば、燃止層は、難燃性を有する層や熱の吸収が可能な層であればよい。
【００３４】
難燃性を有する層としては、木材に難燃薬剤を注入して不燃化処理した難燃薬剤注入層が挙げられる。熱の吸収が可能な層は、一般木材よりも熱容量が大きな材料、一般木材よりも断熱性が高い材料、又は一般木材よりも熱慣性が高い材料によって形成してもよいし、これらの材料と一般木材とを組み合わせて形成してもよい。また、難燃性を有する層と、熱の吸収が可能な層とを組み合わせて燃止層を形成してもよい。
【００３５】
また、一般木材よりも熱容量が大きな材料としては、モルタル、石材、ガラス、繊維補強セメント、石膏等の無機質材料、各種の金属材料などが挙げられる。一般木材よりも断熱性が高い材料としては、珪酸カルシウム板、ロックウール、グラスウールなどが挙げられる。一般木材よりも熱慣性が高い材料としては、セランガンバツ、ジャラ、ボンゴシ等の木材が挙げられる。
【００３６】
[作用及び効果]
つぎに、本実施形態の作用及び効果について説明する。
【００３７】
図１及び図２に示すように、本実施形態の木造建築物１０では、三方向に設けられた耐震壁２２、２４，２６で地震力を負担し、梁間方向に沿った木造の各柱梁架構５０は主に長期荷重を負担する構造となっている。また、図１及び図３に示すように、各階のスラブ７０の前端部を構成する鉄筋コンクリート造スラブ７２が梁間方向の地震力を桁行き方向両側の耐震壁２２，２４に伝達するように構成されている。
【００３８】
そして、図１、図３、図４に示すように、各階において、桁行き方向（矢印Ｙ方向）に沿って設けられた配管８２は、木造梁５６の梁成の低い短スパン部５６Ｂの梁下に配設されている。
【００３９】
別の観点から説明すると、図４（Ｂ）に示すように、配管８２を短スパン部５６Ｂの梁下に配設することで、木造梁５６を長手方向（梁間方向）から見た場合に、貫通することなく、木造梁５６（の長スパン部５６Ａ）に重なって配置されている。
【００４０】
また、図１〜図４に示すように、配管８２から梁間方向に分岐する配管８４は柱梁架構５０で区切られた居室空間１５毎に梁間方向に沿って配設されている。
【００４１】
このように配管８２及び配管８４が配設されることで、配管８２及び配管８４が木造梁を貫通することなく配設される。別の観点から説明すると、このように配管８２及び配管８４が配設されることで、木造梁を貫通する貫通箇所が低減され（本実施形態では貫通箇所は無い）、これにより、貫通孔を形成することによる柱梁架構の耐力と耐火性能の低下が抑制又は防止されている。
【００４２】
また、本実施形態では、配管８２は、木造梁５６の梁成の低い短スパン部５６Ｂの梁下を配設されているので、階高を高くすることなく、天井高が確保されている。
【００４３】
＜第二実施形態＞
つぎに、本発明の第二実施形態にかかる木造建築物１２について説明する。なお、第一実施形態と同一の部材には同一の符号を付し、重複する説明は省略する。また、図５の平面図においても、第一実施形態の図３と同様に柱梁架構や配管は、判り易くするため、これらは実線で図示している
【００４４】
図５に示す本実施形態の木造建築物１２は、４階建てとされ（図１及び図２を参照）、桁行き方向(矢印Ｙ方向）の両側に梁間方向（矢印Ｘ方向）に沿って設けられたた耐震壁２２及び耐震壁２４と、これら耐震壁２２，２４の後端部に接続された桁行き方向に沿って設けられた耐震壁２６と、基礎階の基礎スラブ２８（図１及び図２を参照）と、が主な躯体とされている。
【００４５】
図５に示すように、耐震壁２２及び耐震壁２４の面外方向外側に、複数の木造の柱梁架構１５０が間隔をあけて設けられている。より具体的に説明すると、耐震壁２２と耐震壁２４との間には、梁間方向（矢印Ｘ方向）に沿った木造の柱梁架構１５０が桁行き方向（矢印Ｙ方向）に間隔をあけて設けられている。
【００４６】
各柱梁架構１５０は、梁間方向に間隔をあけて配置された木造柱５２及び木造柱５４と、各階に設けられた梁間方向を長手方向とする木造梁１５６と、で構成されている。なお、柱梁架構１５０の後端部は後方の耐震壁２６と間隔があいている。
【００４７】
柱梁架構１５０の木造梁１５６の前端部は木造柱５２で支持され、後端部は木造柱５４で支持されている。また、各階において両端部が耐震壁２２及び耐震壁２４に接続された桁行き方向に沿った木造梁１５８が木造柱５４に支持されていると共に、各柱梁架構１５０を連結している。
【００４８】
なお、木造梁１５６、木造梁１５６、１５８及び木造柱５２，５４は、第一実施形態で説明した図１１及び図１２に示す耐火集成材で構成されている。
【００４９】
そして、図５に示すように、各柱梁架構１５０と各階の木造梁１５８とによって、各階のスラブ１７０が支持されている。各階のスラブ１７０は、桁行方向の両側端部が耐震壁２２，２４に接続され、後端部が耐震壁２６に接続されている。
【００５０】
各階のスラブ１７０は、前端部分が鉄筋コンクリート造スラブ７２で構成され、木造梁５８の手前までがトップコンが打接されていない成形コンクリート版１７４で構成されている。そして、スラブ１７０における柱梁架構１５０の後端部よりも後方側、つまり木造梁１５８よりも後方側は鉄筋コンクリート造の無梁スラブ１７６（一枚スラブ）で構成されている。
【００５１】
桁行き方向の木造梁１５８のスパンは、梁間方向の木造梁１５６のスパンよりも短い。よって、図６（Ａ）に示すように、木造梁１５８の梁成は、木造梁１５６の梁成よりも低い。
【００５２】
なお、各階において柱梁架構１５０で区切られた空間は居室空間１１５とされ、柱梁架構１５０の後端部よりも外側（木造梁１５８よりも後方側）の無梁スラブ１７６で構成されている空間はバックヤード１１６とされている。なお、オフィスビルの場合では、居室空間１１５は主室として使用し、バックヤード１１６はトイレ、給湯室、廊下等が設けられる従室として使用される。また、集合住宅の場合は、居室空間１１５は専用部として使用され、バックヤード１１６は廊下等が設けられる共用部として使用される。
【００５３】
図５、図６、図７（Ａ）に示すように、桁行き方向（矢印Ｙ方向）に沿って設けられた配管８２は、バックヤード１１２における無梁スラブ１７６の下側を配設されている。また、配管８２から梁間方向に分岐する配管８４は、梁成の低い木造梁１５８の梁下を横断して柱梁架構１５０で区切られた居室空間１１５毎に梁間方向に沿って配設されている。
【００５４】
[作用及び効果]
つぎに本実施形態の作用及び効果について説明する。
【００５５】
本実施形態の木造建築物１２も第一実施形態と同様に、三方向に設けられた耐震壁２２、２４，２６で地震力を負担し、梁間方向に沿った木造の各柱梁架構１５０は主に長期荷重を負担する構造となっている（図１及び図２を参照）。また、図５に示すように各階のスラブ１７０の前端部を構成する鉄筋コンクリート造スラブ７２と鉄筋コンクリート造の無梁スラブ１７６とが梁間方向の地震力を桁行き方向両側の耐震壁２２，２４に伝達するように構成されている。
【００５６】
そして、図５、図６、図７（Ａ）に示すように、前述したように、桁行き方向（矢印Ｙ方向）に沿って設けられた配管８２は、無梁スラブ１７６の下側に配設されている。別の観点から説明すると、図５（Ｂ）に示すように、配管８２は木造梁１５６を長手方向（梁間方向）から見た場合に、貫通することなく、木造梁１５６に重なって配置されている。
【００５７】
また、図５、図６、図７（Ａ）に示すように、配管８２から梁間方向に分岐する配管８４は、梁成の低い木造梁１５８の梁下を横断して柱梁架構１５０で区切られた居室空間１１５毎に梁間方向に沿って配設されている。
【００５８】
このように配管８２及び配管８４が配設されることで、配管８２及び配管８４が木造梁を貫通することなく配設される。別の観点から説明すると、このように配管８２及び配管８４が配設されることで、木造梁を貫通する貫通箇所が低減され（本実施形態では貫通箇所は無い）、これにより、貫通孔を形成することによる柱梁架構の耐力と耐火性能の低下が抑制又は防止されている。
【００５９】
[変形例]
ここで、本実施形態では、図７（Ａ）に示すように、梁間方向に沿った配管８４は、桁行き方向に沿った梁成の低い木造梁１５８の梁下を横断していたが、これに限定されない。よって、つぎに、配管８４が木造梁１５８の梁下を横断する配設以外の変形例を説明する。
【００６０】
（第一変形例）
図７（Ｂ）に示す第一変形例では、梁成の低い木造梁１５８と梁成の高い木造梁１５６との意匠上の収まりから、スラブ１７０の鉄筋コンクリート造の無梁スラブ１７６には、梁成の低い木造梁１５８に沿って梁上ふかし部１７８が形成されている。そして、梁上ふかし部１７８に貫通孔１７９を形成し、この貫通孔１７９に配管８４が挿通されている。なお、このように配管８４を梁上ふかし部１７８に貫通させて配設することで、スラブ１７０の下面により近接して配管８２及び配管８４が配設される。
【００６１】
（第二変形例）
図７（Ｃ）に示す第二変形例では、桁行き方向に沿った木造梁１５８に貫通孔１５９を形成し、この貫通孔１５９に配管８４が挿通されている。なお、このように配管８４を木造梁１５８に貫通させて配設することで、スラブ１７０の下面により近接して配管８２及び配管８４が配設される。なお、木造梁１５８は、必要とされる耐力及び耐火性能が小さいので、このように木造梁１５８に貫通孔１５９を形成しても必要とされる耐力と耐火性能とが確保されている。
【００６２】
（第三変形例）
図示は省略するが、第三変形例では、桁行き方向に沿った木造梁１５８が設けられていない。そして、スラブ１７０の下面に沿って配管８４が配設される。
【００６３】
＜第三実施形態＞
つぎに、本発明の第三実施形態にかかる木造建築物１４について説明する。なお、第一実施形態及び第二実施形態と同一の部材には同一の符号を付し、重複する説明は省略する。また、図８の平面図においても、第一実施形態の図２と同様に柱梁架構や配管は、判り易くするため、これらは実線で図示している
【００６４】
図８に示す本実施形態の木造建築物１４は、４階建てとされ（図１及び図２を参照）、桁行き方向(矢印Ｙ方向）の両側に梁間方向（矢印Ｘ方向）に沿って設けられたた耐震壁２２及び耐震壁２４と、基礎階の基礎スラブ２８（図１参照）と、が主な躯体とされている。
【００６５】
図８に示すように、耐震壁２２及び耐震壁２４の面外方向外側に、複数の木造の柱梁架構２５０と柱梁架構２５１とが間隔をあけて設けられている。より具体的に説明すると、耐震壁２２と耐震壁２４との間には、梁間方向（Ｘ方向）に沿った木造の柱梁架構２５０が桁行き方向に間隔をあけて並んで配置されると共に、梁間方向（Ｘ方向）に沿った木造の柱梁架構２５１が桁行き方向に間隔をあけて並んで配置されている。つまり、耐震壁２２と耐震壁２４との間には、柱梁架構２５０の列と柱梁架構２５１の列との二つの列が梁間方向に間隔をあけて平行に並んで配置されている。
【００６６】
なお、本実施形態では、柱梁架構２５０の桁行き方向の間隔と柱梁架構２５１の桁行来方向の間隔とは同一とされ、柱梁架構２５０と柱梁架構２５１とは、梁間方向に間隔をあけて梁間方向に同一直線上に配置されている。しかし、柱梁架構２５０の桁行き方向の間隔と柱梁架構２５１の桁行方向の間隔とが異なっていてもよい。
【００６７】
各柱梁架構２５０は、梁間方向に間隔をあけて配置された木造柱２５２及び木造柱２５４と、各階に設けられ梁間方向を長手方向とする木造梁２５６と、で構成されている。また、木造梁２５６の前端部は木造柱２５４で支持され、後端部は木造柱２５２で支持されている。また、各階において両端部が耐震壁２２及び耐震壁２４に接続された桁行き方向に沿った木造梁２５８が、木造柱２５２に支持されていると共に、各柱架構２５０を連結している。
【００６８】
一方、各柱梁架構２５１は、梁間方向に間隔をあけて配置された木造柱２５５及び木造柱２５３と、各階に設けられ梁間方向を長手方向とする木造梁２５７と、で構成されている。また、木造梁２５７の前端部は木造柱２５５で支持され、後端部は木造柱２５３で支持されている。また、各階において両端部が耐震壁２２及び耐震壁２４に接続された桁行き方向に沿った木造梁２５９が、木造柱２５５に支持されていると共に、各柱架構２５１を連結している。
【００６９】
なお、木造梁２５６、２５７、２５８，２５９及び木造柱２５２，２５３、２５４、２５５は、第一実施形態で説明した図１１及び図１２に示す耐火集成材で構成されている。
【００７０】
そして、図８に示すように、各柱梁架構２５０，２５１と各階の木造梁２５８，２５９とによって各階のスラブ２７０が支持されている。各階のスラブ２７０は、桁行方向の両側端部が耐震壁２２，２４に接続されている。
【００７１】
各階のスラブ２７０は、前端部分が鉄筋コンクリート造スラブ２７５で構成され、後端部分が鉄筋コンクリート造スラブ２７２で構成され、梁間方向の中央部分が鉄筋コンクリート造の無梁スラブ２７６（一枚スラブ）で構成されている。そして、鉄筋コンクリート造スラブ２７５と無梁スラブ２７６との間及び鉄筋コンクリート造スラブ２７２と無梁スラブ２７６との間は、それぞれトップコンが打接されていない成形コンクリート版２７３，２７４で構成されている。
【００７２】
なお、柱梁架構２５０と柱梁架構２５１との間を含むように鉄筋コンクリート造の無梁スラブ２７６が設けられている。別の観点から説明すると、柱梁架構２５０の長手方向の外側に延在し、且つ柱梁架構２５０の長手方向の外側に延在するように、無梁スラブ２７６が設けられている。
【００７３】
なお、各階において柱梁架構２５０で区切られた空間は居室空間２１４とされ、各階において柱梁架構２５１で区切られた空間は居室空間２１５とされている。そして、柱梁架構２５０と柱梁架構２５１との間の桁行き方向に沿った中央部分をセンターヤード２１６とされている。センターヤード２１６は廊下等として使用される。
【００７４】
スラブ２７０におけるセンターヤード２１６における桁行き方向の端部に縦配管２８０が貫通し、鉛直方向に配設されている。そして、各階において縦配管２８０から桁行き方向（Ｙ方向）に配管２８２が分岐している（図１０も参照）。
【００７５】
図８及び図９（Ａ）に示すように、配管２８２は、センターヤード２１６における無梁スラブ２７６の下側を配設されている。
【００７６】
図９に示すように、配管２８２から、配管２８４と配管２８５とが梁間方向に分岐している。図８及び図９に示すように、配管２８４は、後方側に延び柱梁架構２５０で区切られた居室空間２１４毎に梁間方向に沿って配設されている。また、配管２８５は、前方側に延び柱梁架構２５１で区切られた居室空間２１５毎に梁間方向に沿って配設されている。
【００７７】
[作用及び効果]
つぎに本実施形態の作用及び効果について説明する。
【００７８】
図８に示す本実施形態の木造建築物１４は、耐震壁２２、２４で地震力を負担し、梁間方向に沿った木造の各柱梁架構１５０は主に長期荷重を負担する構造となっている。また、各階のスラブ２７０を構成する鉄筋コンクリート造スラブ２７２、２７５と鉄筋コンクリート造の無梁スラブ２７６とが梁間方向の地震力を桁行き方向両側の耐震壁２２，２４に伝達するように構成されている。
【００７９】
そして、図８及び図９に示すように、各階において、桁行き方向（矢印Ｙ方向）に沿って設けられた配管２８２は、センターヤード２１６における無梁スラブ２７６の下側を配設されている。別の観点から説明すると、図９（Ｂ）に示すように、配管２８２は木造梁２５６、２５７を長手方向（梁間方向）から見た場合に、貫通することなく、木造梁２５６、２５７に重なって配置されている。
【００８０】
また、図８及び図９に示すように、配管２８２から梁間方向に分岐する配管２８４及び配管２８５が柱梁架構２５０、２５１で区切られた居室空間２１４、２１５毎に梁間方向に延びている。
【００８１】
このように配管２８２及び配管２８４、２８５が配設されることで、配管２８２及び配管２８４、２８５が木造梁を貫通することなく配設されている。別の観点から説明すると、配管２８２及び配管２８４、２８５が配設されることで、木造梁を貫通する貫通箇所が低減され（本実施形態では貫通箇所は無い）、これにより、貫通孔を形成することによる柱梁架構の耐力と耐火性能の低下が抑制又は防止されている。
【００８２】
[変形例]
つぎに、本実施形態の変形例について説明する。
【００８３】
図１０に示す変形例の木造建築物１６では、桁行き方向に沿った木造梁２５８及び木造梁２５９が設けられていない構成となっている。また、耐震性能を向上させるため、桁行き方向の両側の耐震壁２２２及び耐震壁２２４は、正面視において台形状になっている。具体的には、図２に示す耐震壁２２及び２４よりも下端部の壁厚が厚く、上方に向かうに従って壁厚が薄くなっている。なお、壁厚全体を厚くして耐震性能を向上させてもよい（壁厚が一定であってもよい）。
【００８４】
ここで、上記第一実施形態の木造建築物１０及び第二実施形態の木造建築物１２においても、桁行き方向の両側を耐震壁２２２及び耐震壁２２４で構成してもよい。
【００８５】
また、第一実施形態の木造建築物１０及び第二実施形態の木造建築物１２においても、耐震壁２２２及び耐震壁２２４で耐震性能を向上させることで、後側の耐震壁２６を設けない構成としてもよい。
【００８６】
或いは、第三実施形態の木造建築物１４において、後方の耐震壁２６（図１等を参照）が設けられた構成であってもよい。
【００８７】
更に、第一実施形態の木造建築物１０、第二実施形態の木造建築物１２、及び第三実施形態の木造建築物１４における耐震壁の配置は、上記記載に限定されない。例えば、桁行き方向の一方にのみ耐震壁を配置してもよい。或いは、桁行き方向の一方と後方側とに耐震壁を配置した構成（平面視Ｌ字形状）であってもよい。或いは、桁行き方向の中央部と後方側とに耐震壁を配置した構成（平面視Ｔ字形状）であってもよい。要は、耐震壁で地震力を負担できる構造であればよい。
【００８８】
＜その他＞
尚、本発明は上記実施形態及び変形例に限定されない。
【００８９】
上記実施形態及び変形例の配管は、液体・気体・粉体などの流体を輸送するパイプ・チューブ・ホース等（例えば、空調ダクト、排水菅、水道管など）である。また、上記実施形態では、配管が木造梁を貫通する貫通箇所を低減したが、これに限定されない。電気や通信などの配線（例えば、電線や通信ケーブルなど）が木造梁を貫通する貫通箇所の低減にも本発明を適用することができる。
【００９０】
また、例えば、上記実施形態及び変形例では、梁間方向に沿った木造梁には、貫通箇所は無かったが、これに限定されない。必要な耐力と耐火性能とが確保されていれば、梁間方向の木造梁に貫通箇所があってもよい。要は本発明が適用されることで、木造梁の貫通箇所が低減されていればよい。
【００９１】
また、例えば、上記実施形態及び変形例では各方向は、梁間方向及び桁行方向を用いて説明したが、これに限定されるものではない。平面視において、交差する二方向を用いて各方向を定義してもよい。例えは、桁行き方向を「一方の方向」とし、梁間方向を「平面視において一方の方向と交差する他方の方向」としてもよい。
【００９２】
また、例えば、上記実施形態及び変形例では、地震荷重に耐える主な耐震要素は耐震壁であったが、これに限定されない。例えば、主な耐震要素が耐震架構であってもよい。
【００９３】
また、上記実施形態及び変形例の木造の柱梁架構は、耐火集成材であったが、これに限定されない。上記実施形態で説明した以外の耐火集成材を用いてもよいし、単材の木材を用いてもよい。例えば、鉄骨が内蔵された耐火木材であってもよいし、耐火被覆した木材であってもよいし、薬剤を含浸させた木材であってもよい。要は木造の柱梁架構を有する木造建築物全般に本発明を適用することができる。
【００９４】
更に、上述の複数の実施形態及び変形例は、適宜、組み合わされて実施可能である。また、本発明の要旨を逸脱しない範囲において種々なる態様で実施し得る。
【符号の説明】
【００９５】
１０      木造建築物
１２      木造建築物
１４      木造建築物
１５      居室空間（エリアの一例）
１６      木造建築物
２２      耐震壁（耐震要素の一例）
２４      耐震壁（耐震要素の一例）
５０      柱梁架構
５６      木造梁
７０      スラブ
８２      配管
８４      配管
１１５      居室空間（エリアの一例）
１５０      柱梁架構
１５６      木造梁
１７０      スラブ
１７６      無梁スラブ
２１４      居室空間（エリアの一例）
２１５      居室空間（エリアの一例）
２２２      耐震壁（耐震要素の一例）
２２４      耐震壁（耐震要素の一例）
２５０      柱梁架構
２５１      柱梁架構
２５６      木造梁
２５７      木造梁
２７０      スラブ
２７６      無梁スラブ
２８２      配管
２８４      配管
２８５      配管
【図１】
2014058813.tif 000003
【図２】
2014058813.tif 000004
【図３】
2014058813.tif 000005
【図４】
2014058813.tif 000006
【図５】
2014058813.tif 000007
【図６】
2014058813.tif 000008
【図７】
2014058813.tif 000009
【図８】
2014058813.tif 000010
【図９】
2014058813.tif 000011
【図１０】
2014058813.tif 000012
【図１１】
2014058813.tif 000013
【図１２】
2014058813.tif 000014